(57)【要約】【課題】簡易な方法及び簡易な装置を用いて最低地上高を容易かつ確実に測定でき、その結果を自動車のオーナーに目視によって確認させることがでる。【解決手段】測定対象自動車Ｃにおける測定対象部位Ｃａを挟む当該測定対象自動車Ｃの乗り入れ面Ｄａの一方側に、水平向きに可視レーザー光ｙを照射するレーザー照射装置１０を上下動可能かつ旋回可能に備える地上高測定装置Ａをセットし、他方の側に、当該レーザー照射装置１０からのレーザー光ｙを受け、かつ、前記乗り入れ面Ｄａからの高さ表示手段Ｂａ’の施されている受け手段Ｂを備えさせ、この受け手段Ｂに向けて、前記レーザー照射装置１０からレーザー光ｙを照射して測定対象自動車Ｃにおける測定対象部位Ｃａの地上高を測定する。【選択図】図７
2009014662.tif 000002
【特許請求の範囲】
【請求項１】
測定対象自動車における測定対象部位の最低地上高を測定する測定方法であって、
当該測定対象自動車における測定対象部位を挟む当該測定対象自動車の乗り入れ面の一方側に、
水平向きに可視レーザー光を照射するレーザー照射装置を上下動可能かつ旋回可能に備える地上高測定装置をセットし、
他方の側に、当該レーザー照射装置からのレーザー光を受け、かつ、前記乗り入れ面からの高さ表示手段の施されている受け手段を備えさせ、
この受け手段に向けて、前記レーザー照射装置からレーザー光を照射して測定対象自動車における測定対象部位の地上高を測定するようにしたことを特徴とする自動車における最低地上高の測定方法。
【請求項２】
測定対象自動車における測定対象部位の最低地上高を測定する測定方法であって、
水平向きに可視レーザー光を照射するレーザー照射装置を上下動可能かつ旋回可能に備える地上高測定装置と、測定面からの高さ表示手段を備える受け手段とを測定面にセットし、
前記測定対象自動車における測定対象部位の最低地上高位置を示す受け手段の高さ表示手段の表示に前記レーザー照射装置のレーザー光を位置づけるように該レーザー照射装置をセットすると共に、
この地上高測定装置を測定対象自動車の乗り入れ面にセットし、測定対象自動車の測定対象部位に向けてレーザー光を照射して測定対象自動車における測定対象部位の地上高を測定するようにしたことを特徴とする自動車における最低地上高の測定方法。
【請求項３】
測定対象自動車における測定対象部位の最低地上高を測定する測定方法であって、
水平向きに可視レーザー光を照射するレーザー照射装置を上下方向に移動支承し当該支承状態で旋回可能に備える地上高測定装置を用意し、
この地上高測定装置におけるレーザー照射装置を測定対象自動車における測定対象部位の最低地上高の高さにレーザー光を照射し得るようにセットすると共に、
この地上高測定装置を測定対象自動車の乗り入れ面にセットし、測定対象自動車の測定対象部位に向けてレーザー光を照射して測定対象自動車における測定対象部位の地上高を測定するようにしたことを特徴とする自動車における最低地上高の測定方法。
【請求項４】
台部と、この台部に垂直に立設されている柱状部と、この柱状部に上下動可能かつ旋回可能に備えられて水平向きに可視レーザー光を照射するレーザー照射装置とを備える地上高測定装置と、この地上高測定装置のレーザー照射装置からのレーザー光を受け、かつ、測定面からの高さ表示手段を備える受け手段とを備えていることを特徴とする自動車における最低地上高の測定装置。
【請求項５】
台部と、この台部に垂直に立設されている柱状部と、この柱状部に上下方向に移動支承しかつ当該支承状態で旋回可能に備えられて水平向きに可視レーザー光を照射するレーザー照射装置とを備える地上高測定装置と、この地上高測定装置におけるレーザー照射装置を前記柱状部の所定高さに位置決めする位置決め手段とを備えていることを特徴とする自動車における最低地上高の測定装置。
【請求項６】
前記受け手段における高さ表示手段が垂直向きのプレートに備えられる目盛であることを特徴とする請求項１に記載の自動車における最低地上高の測定方法、請求項２に記載の自動車における最低地上高の測定方法又は請求項４に記載の自動車における最低地上高の測定装置。
【請求項７】
前記受け手段における高さ表示手段が、板状材における所定高さ位置に備えられる水平のラインであることを特徴とする請求項１に記載の自動車における最低地上高の測定方法、請求項２に記載の自動車における最低地上高の測定方法又は請求項４に記載の自動車における最低地上高の測定装置。
【請求項８】
前記受け手段における高さ表示手段が、壁等の構築物の一部の所定高さ位置に備えられる水平のラインであることを特徴とする請求項１に記載の自動車における最低地上高の測定方法、請求項２に記載の自動車における最低地上高の測定方法又は請求項４に記載の自動車における最低地上高の測定装置。
【発明の詳細な説明】
【技術分野】
【０００１】
この発明は、自動車における最低地上高を迅速かつ正確に測定する測定方法及び測定装置の提案に関し、最低地上高を備えていない自動車を迅速、かつ、確実に検出し、この種の最低地上高を備えていない自動車の運行に伴う自動車事故等を未然に防止しようとするものである。
【背景技術】
【０００２】
自動車は安全走行の目的等から、その最低地上高が法規制されているものの、自動車におけるファッション性を高める目的等の各種目的から、この最低地上高を備えていない自動車が運行されているケースがある。
【０００３】
かかる最低地上高を備えていない自動車の運行を放置することは、自動車事故を未然に防ぐ観点等から好ましくなく、運行自動車における最低地上高の検査が実施されている。
【０００４】
しかしながら、この種の最低地上高の測定は、対象自動車の下にもぐり込んで、例えば、図１０に示されるような測定具１００を対象自動車の乗り入れられている地面上にセットした後、当該測定具１００の操作バー１０１に一体に備えられている可撓性のスケール１０２を、当該測定具１００から垂直の状態に押し出し、このスケール１０２の上端が接した状態における測定具１００の目盛り１０３を読み取る等、該当する箇所の最低地上高を逐一、測定する必要があり、多くの手間を要し、かつ、その測定結果を自動車のオーナーに納得させ難い不具合があった。
【０００５】
この結果、積極的に、運行自動車における最低地上高の検査が施されることなく、最低地上高を備えていない自走車が、そのまま、見過ごされて運行に用いられているケースが見受けられる。
【０００６】
かかる路上等において、運行に用いられている自動車の最低地上高を、容易に、かつ、確実に測定でき、しかも、その測定結果を自動車のオーナーに納得させ得る測定方法及び測定装置は見受けられなかった。
【発明の開示】
【発明が解決しようとする課題】
【０００７】
しかしながら、購入自動車等に改装を施して、その最低地上高を法規制以下にした自動車が運行に供されているケースが見受けられ、道路交通の安全性等から、その取り締まりが要請されている。
【０００８】
この発明は、かかる運行自動車における現状、及び、最低地上高の測定の困難性を解消すべく提案されたものであって、容易かつ迅速に測定が可能であり、しかも、その測定結果を自動車のオーナーに目視により納得させ得るようにした自動車における最低地上高の測定方法及び最低地上高の測定装置の提案をなそうとするものである。
【課題を解決するための手段】
【０００９】
この自動車における最低地上高の測定方法の第１の発明は、測定対象自動車における測定対象部位の最低地上高を測定する測定方法であって、
当該測定対象自動車における測定対象部位を挟む当該測定対象自動車の乗り入れ面の一方側に、
水平向きに可視レーザー光を照射するレーザー照射装置を上下動可能かつ旋回可能に備える地上高測定装置をセットし、
他方の側に、当該レーザー照射装置からのレーザー光を受け、かつ、前記乗り入れ面からの高さ表示手段の施されている受け手段を備えさせ、
この受け手段に向けて、前記レーザー照射装置からレーザー光を照射して測定対象自動車における測定対象部位の地上高を測定するようにしたことを特徴とする自動車における最低地上高の測定方法としてある。
【００１０】
かかる自動車における最低地上高の測定方法では、測定対象自動車の測定対象部位を間に入れるようにして、測定対象自動車の測定用乗り入れ面にセットした地上高測定装置から測定対象部位に向けて照射されるレーザー光を、前記の受けけ手段で確認し、測定対象自動車の測定対象部位の最低地上高を、当該受け手段における高さ表示手段を目安にして、容易に、かつ、確実に、目視により確認し得るものであり、必要に応じて、自動車のオーナーにも確認させることができる。
【００１１】
この自動車における最低地上高の測定方法の第２の発明は、前記課題を解決するために、測定対象自動車における測定対象部位の最低地上高を測定する測定方法であって、
水平向きに可視レーザー光を照射するレーザー照射装置を上下動可能かつ旋回可能に備える地上高測定装置と、測定面からの高さ表示手段を備える受け手段とを測定面にセットし、
前記測定対象自動車における測定対象部位の最低地上高位置を示す受け手段の高さ表示手段の表示に前記レーザー照射装置のレーザー光を位置づけるように該レーザー照射装置をセットすると共に、
この地上高測定装置を測定対象自動車の乗り入れ面にセットし、測定対象自動車の測定対象部位に向けてレーザー光を照射して測定対象自動車における測定対象部位の地上高を測定するようにしたことを特徴とする自動車における最低地上高の測定方法としてある。
【００１２】
かかる自動車における最低地上高の測定方法では、前記地上高測定装置におけるレーザー照射装置からの可視レーザー光を、測定面からの高さの表示手段を備える受け手段に照射し、当該レーザー照射装置を所定高さに位置決めしてあることから、この可視レーザー光を測定対象自動車の測定対象部位に照射するのみで、当該測定対象自動車が所定の最低地上高を備えているか否かを即座に判別でき、これを、必要に応じて、当該自動車のオーナーにも確認させることができる。
【００１３】
この自動車における最低地上高の測定方法の第３の発明は、前記課題を解決するために、測定対象自動車における測定対象部位の最低地上高を測定する測定方法であって、
水平向きに可視レーザー光を照射するレーザー照射装置を上下方向に移動支承し当該支承状態で旋回可能に備える地上高測定装置を用意し、
この地上高測定装置におけるレーザー照射装置を測定対象自動車における測定対象部位の最低地上高の高さにレーザー光を照射し得るようにセットすると共に、
この地上高測定装置を測定対象自動車の乗り入れ面にセットし、測定対象自動車の測定対象部位に向けてレーザー光を照射して測定対象自動車における測定対象部位の地上高を測定するようにしたことを特徴とする自動車における最低地上高の測定方法としてある。
【００１４】
かかる自動車における最低地上高の測定方法では、前記地上高測定装置におけるレーザー照射装置からの可視レーザー光を、当該地上高測定装置におけるセット面から所定の高さ位置で照射するように当該レーザー照射装置を位置決めしてあることから、この可視レーザー光を測定対象自動車の測定対象部位に照射するのみで、当該測定対象自動車が所定の最低地上高を備えているか否かを即座に判別でき、これを、必要に応じて、当該自動車のオーナーにも確認させることができる。
【００１５】
この自動車における最低地上高の測定装置の第１の発明は、前記課題を解決するために、台部と、この台部に垂直に立設されている柱状部と、この柱状部に上下動可能かつ旋回可能に備えられて水平向きに可視レーザー光を照射するレーザー照射装置とを備える地上高測定装置と、この地上高測定装置のレーザー照射装置からのレーザー光を受け、かつ、測定面からの高さ表示手段を備える受け手段とを備えていることを特徴とする自動車における最低地上高の測定装置としてある。
【００１６】
かかる自動車における最低地上高の測定装置では、レーザー照射装置を上下動させ、必要に応じて旋回させながら受け手段で受けられたレーザーポイントを、当該受け手段における地上からの高さ表示手段に照合するようにして、測定対象自動車における測定対象部位の地上高を、容易かつ確実に直接測定でき、これを、当該自動車のオーナーに確認させることができる。また、前記地上高測定装置におけるレーザー照射装置を所定高さに前記受け手段を用いて予め移動し、このレーザー照射装置を所定高さにセットされた地上高測定装置からレーザー光を測定対象自動車における測定対象部位に照射することで、測定対象自動車における測定対象部位が所定の最低地上高を備えているか否かを即座に判別でき、これを、必要に応じて、当該自動車のオーナーに確認させることができる。
【００１７】
また、自動車における最低地上高の測定装置の第２の発明は、前記課題を解決するために、台部と、この台部に垂直に立設されている柱状部と、この柱状部に上下方向に移動支承しかつ当該支承状態で旋回可能に備えられて水平向きに可視レーザー光を照射するレーザー照射装置とを備える地上高測定装置と、この地上高測定装置におけるレーザー照射装置を前記柱状部の所定高さに位置決めする位置決め手段とを備えていることを特徴とする自動車における最低地上高の測定装置としてある。
【００１８】
かかる自動車における最低地上高の測定装置では、予めレーザー照射装置が所定高さに支承されていることから、当該地上高測定装置からレーザー光を測定対象自動車における測定対象部位に照射することで、測定対象自動車における測定対象部位が所定の最低地上高を備えているか否かを即座に判別でき、これを、必要に応じて、当該自動車のオーナーに確認させることができる。
【００１９】
また、前記受け手段における高さ表示手段が垂直向きのプレートに備えられる目盛であることを特徴とする請求項１に記載の自動車における最低地上高の測定方法、請求項２に記載の自動車における最低地上高の測定方法又は請求項４に記載の自動車における最低地上高の測定装置にあっては、当該目盛にレーザー光を照射することによって、測定対象自動車における地上高を厳密に測定、確認することができる。
【００２０】
また、前記受け手段における高さ表示手段が、板状材における所定高さ位置に備えられる水平のラインであることを特徴とする請求項１に記載の自動車における最低地上高の測定方法、請求項２に記載の自動車における最低地上高の測定方法又は請求項４に記載の自動車における最低地上高の測定装置にあっては、測定対象自動車が最低地上高を備えているか、否かを当該ラインによって一目で判別することができる。
【００２１】
また、前記受け手段における高さ表示手段が、壁等の構築物の一部の所定高さ位置に備えられる水平のラインであることを特徴とする請求項１に記載の自動車における最低地上高の測定方法、請求項２に記載の自動車における最低地上高の測定方法又は請求項４に記載の自動車における最低地上高の測定装置にあっては、測定対象自動車を当該表示手段を備える構築物に沿って受け入れることで、当該測定対象自動車が最低地上高を備えているか、否かを、容易に判別することができる。
【発明の効果】
【００２２】
前記自動車における最低地上高の測定方法及び自動車における最低地上高の測定装置にあっては、運行に用いられている自動車における最低地上高を、簡易な方法及び簡易な装置を用いて、容易に、かつ、確実に測定できると共に、必要に応じて、その測定結果を自動車のオーナーに目視によって確認させることができ、法規制されている自動車における最低地上高の遵守の普及に効果的に用いることができる。
【発明を実施するための最良の形態】
【００２３】
以下、図１〜図９にもとづいて、この発明を実施するための最良の形態に係る自動車における最低地上高の測定方法及び自動車における最低地上高の測定装置について説明する。
【００２４】
なお、ここで図１〜図７は、当該発明を実施するための最良の形態に係る典型的な第１の地上高測定装置を示しており、図１では、典型的な地上高測定装置Ａを斜め上方から見て、図２では、これを要部を破断して側面から見て、図３では、これを上方から見て、図４では、当該発明を実施するための最良の形態に係る受け手段Ｂを斜め上方から見て示している。図５〜図７では、当該測定方法及び装置Ａの用い方を示しており、図５では、受け手段Ｂを用いてレーザー照射装置１０の位置決めをしている状態を、図６では、当該装置Ａを用いて測定対象自動車Ｃにおける測定対象部位Ｃａにおける最低地上高を測定している状態を側方から見て、図７では、これを斜め上方から見て示している。
また、図８及び図９は、当該発明を実施するための最良の形態に係る典型的な第２の地上高測定装置を示しており、図８では、典型的な地上高測定装置Ａを、その要部を破断して側面から見て、図９では、その要部を拡大して断面して側方から見て示している。
【００２５】
この発明を実施するための最良の形態に係る第１の自動車における最低地上高の測定方法は、測定対象自動車Ｃにおける測定対象部位Ｃａの最低地上高を測定する測定方法であって、
当該測定対象自動車Ｃにおける測定対象部位Ｃａを挟む当該測定対象自動車Ｃの乗り入れ面Ｄａの一方側に、
水平向きに可視レーザー光ｙを照射するレーザー照射装置１０を上下動可能かつ旋回可能に備える地上高測定装置Ａをセットし、
他方の側に、当該レーザー照射装置１０からのレーザー光ｙを受け、かつ、前記乗り入れ面Ｄａからの高さ表示手段Ｂａ’の施されている受け手段Ｂを備えさせ、
この受け手段Ｂに向けて、前記レーザー照射装置１０からレーザー光ｙを照射して測定対象自動車Ｃにおける測定対象部位Ｃａの地上高を測定するようにしたものである。
【００２６】
かかる自動車Ｃにおける最低地上高の測定方法では、測定対象自動車Ｃの測定対象部位Ｃａを間に入れるようにして、測定対象自動車Ｃの測定用乗り入れ面Ｄａにセットした地上高測定装置Ａから測定対象部位Ｃａに向けて照射されるレーザー光ｙを、前記の受け手段Ｂで確認し、測定対象自動車Ｃの測定対象部位Ｃａの地上高を、当該受け手段Ｂにおける高さ表示手段Ｂａ’を目安にして、容易に、かつ、確実に、目視により確認し得るものであり、当該自動車が最低地上高を備えているか否かを、必要に応じて、自動車Ｃのオーナーにも確認させることができる。
【００２７】
この発明を実施するための最良の形態に係る第２の自動車Ｃにおける最低地上高の測定方法は、測定対象自動車Ｃにおける測定対象部位Ｃａの最低地上高を測定する測定方法であって、
水平向きに可視レーザー光ｙを照射するレーザー照射装置１０を上下動可能かつ旋回可能に備える地上高測定装置Ａと、測定面Ｄからの高さを示す高さ表示手段Ｂａ’を備える受け手段Ｂとを測定面Ｄにセットし、
前記測定対象自動車Ｃにおける測定対象部位Ｃａの最低地上高位置を示す受け手段Ｂの高さ表示手段Ｂａ’の表示Ｂａに前記レーザー照射装置１０のレーザー光ｙを位置づけるように該レーザー照射装置１０をセットすると共に、
この地上高測定装置Ａを測定対象自動車Ｃの乗り入れ面Ｄａにセットし、測定対象自動車Ｃの測定対象部位Ｃａに向けてレーザー光ｙを照射して測定対象自動車Ｃにおける測定対象部位Ｃａの地上高を測定するようにしたものである。
【００２８】
かかる自動車Ｃにおける最低地上高の測定方法では、前記地上高測定装置Ａにおけるレーザー照射装置１０からの可視レーザー光ｙを、測定面Ｄからの高さの表示手段Ｂａ’を備える受け手段Ｂに照射し、当該レーザー照射装置１０を所定高さに位置決めしてあることから、この可視レーザー光ｙを測定対象自動車Ｃの測定対象部位Ｃａに照射するのみで、当該測定対象自動車Ｃが所定の最低地上高を備えているか否かを即座に判別でき、これを、必要に応じて、当該自動車Ｃのオーナーにも確認させることができる。
【００２９】
この発明を実施するための最良の形態に係る第３の自動車Ｃにおける最低地上高の測定方法は、測定対象自動車Ｃにおける測定対象部位Ｃａの最低地上高を測定する測定方法であって、
水平向きに可視レーザー光ｙを照射するレーザー照射装置１０を上下方向に移動支承し、かつ当該支承状態で旋回可能に備える地上高測定装置Ａを用意し、
この地上高測定装置Ａにおけるレーザー照射装置１０を測定対象自動車Ｃにおける測定対象部位Ｃａの最低地上高の高さにレーザー光ｙを照射し得るようにセットすると共に、
この地上高測定装置Ａを測定対象自動車Ｃの乗り入れ面Ｄａにセットし、測定対象自動車Ｃの測定対象部位Ｃａに向けてレーザー光ｙを照射して測定対象自動車Ｃにおける測定対象部位Ｃａの地上高を測定するようにしたものである。
【００３０】
かかる自動車Ｃにおける最低地上高の測定方法では、前記地上高測定装置Ａにおけるレーザー照射装置１０からの可視レーザー光ｙを、当該地上高測定装置Ａにおけるセット面から所定の高さ位置で照射するように当該レーザー照射装置１０を位置決めしてあることから、この可視レーザー光ｙを測定対象自動車Ｃの測定対象部位Ｃａに照射するのみで、当該測定対象自動車Ｃが所定の最低地上高を備えているか否かを即座に判別でき、これを、必要に応じて、当該自動車Ｃのオーナーにも確認させることができる。
【００３１】
なお、前記各自動車Ｃにおける最低地上高の測定方法にあっては、測定対象自動車Ｃにおける各車輪と、少なくとも地上高測定装置Ａとが、同一の水平面上に位置づけられており、受け手段Ｂにおける高さ表示手段Ｂａ’が、前記水平面からの高さを表示するようにセットされ、あるいは、備え付けられており、前記水平面に車輪を接地した状態における当該車輪の接地面からの、当該自動車Ｃにおける接地車輪以外の部分における地上高の測定をなし得るようにしてある。
【００３２】
この発明を実施するための最良の形態に係る第１の自動車Ｃにおける最低地上高の測定装置は、台部２０と、この台部２０に垂直に立設されている柱状部３０と、この柱状部３０に上下動可能かつ旋回可能に備えられて水平向きに可視レーザー光ｙを照射するレーザー照射装置１０とを備える地上高測定装置Ａと、この地上高測定装置Ａのレーザー照射装置１０からのレーザー光ｙを受け、かつ、測
定面Ｄからの高さ表示手段Ｂａ’を備える受け手段Ｂとを備えた構成としてある。
【００３３】
かかる自動車Ｃにおける最低地上高の測定装置では、レーザー照射装置１０を上下動させ、必要に応じて旋回させながら受け手段Ｂで受けられたレーザーポイントを、当該受け手段Ｂにおける高さ表示手段Ｂａ’における所定の高さを示す表示Ｂａに照合するようにして、測定対象自動車Ｃにおける測定対象部位Ｃａの地上高を、容易かつ確実に直接測定でき、これを、当該自動車Ｃのオーナーに確認させることができる。また、前記地上高測定装置Ａにおけるレーザー照射装置１０を所定高さに前記受け手段Ｂを用いて予め移動し、このレーザー照射装置１０を所定高さにセットされた地上高測定装置Ａからレーザー光ｙを測定対象自動車Ｃにおける測定対象部位Ｃａに照射することで、測定対象自動車Ｃにおける測定対象部位Ｃａが所定の最低地上高を備えているか否かを即座に判別でき、これを、必要に応じて、当該自動車Ｃのオーナーに確認させることができる。
【００３４】
また、この発明を実施するための最良の形態に係る第２の自動車Ｃにおける最低地上高の測定装置は、台部２０と、この台部２０に垂直に立設されている柱状部３０と、この柱状部３０に上下方向に移動支承し、かつ当該支承状態で旋回可能に備えられて水平向きに可視レーザー光ｙを照射するレーザー照射装置１０とを備える地上高測定装置Ａと、この地上高測定装置Ａにおけるレーザー照射装置１０を前記柱状部３０の所定高さに位置決めする位置決め手段６０とを備えた構成としてある。
【００３５】
かかる自動車Ｃにおける最低地上高の測定装置では、予めレーザー照射装置１０が所定高さに位置決めされていることから、当該地上高測定装置Ａからレーザー光ｙを測定対象自動車Ｃにおける測定対象部位Ｃａに照射することで、測定対象自動車Ｃにおける測定対象部位Ｃａが所定の最低地上高を備えているか否かを即座に判別でき、これを、必要に応じて、当該自動車Ｃのオーナーに確認させることができる。
【００３６】
なお、この第１及び第２の自動車Ｃにおける最低地上高の測定装置にあっては、測定対象自動車Ｃにおける各車輪と、少なくとも地上高測定装置Ａとが、同一の水平面上に位置づけて用いられ、必要に応じて用いられる受け手段Ｂにおける高さ表示手段Ｂａ’を、前記水平面からの高さを表示するようにセットし、あるいは、備え付けて用いるものであって、前記水平面に車輪を接地した状態における当該車輪の接地面からの、当該自動車Ｃにおける接地車輪以外の部分における地上高の測定をなすことができる。
【００３７】
また、前記自動車Ｃにおける最低地上高の測定方法又は自動車Ｃにおける最低地上高の測定装置にあって、前記受け手段Ｂにおける高さ表示手段Ｂａ’が垂直向きのプレートに備えられる目盛Ｂｂである表示手段Ｂａ’では、当該目盛Ｂｂにレーザー光ｙを照射することによって、測定対象自動車Ｃにおける地上高を厳密に測定、確認することができる。
【００３８】
また、前記自動車Ｃにおける最低地上高の測定方法又は自動車Ｃにおける最低地上高の測定装置にあって、前記受け手段Ｂにおける高さ表示手段Ｂａ’が、板状材４２における所定高さ位置に備えられる水平のラインＢｂ’である表示手段Ｂａ’では、測定対象自動車Ｃが最低地上高を備えているか、否かを当該ラインＢｂ’によって一目で判別することができる。
【００３９】
また、前記自動車Ｃにおける最低地上高の測定方法又は自動車Ｃにおける最低地上高の測定装置にあって、前記受け手段Ｂにおける高さ表示手段Ｂａ’が、壁等の構築物４３の一部の所定高さ位置に備えられる水平のラインＢｂ’である表示手段Ｂａ’では、測定対象自動車Ｃを当該表示手段Ｂａ’を備える構築物４３に沿って受け入れることで、当該測定対象自動車Ｃが最低地上高を備えているか、否かを、容易に判別することができる。
【００４０】
なお、前記各表示手段Ｂａ’は、測定対象自動車Ｃにおける各車輪と、少なくとも地上高測定装置Ａとが、同一の水平面上に位置づけて用いられることを前提に、この水平面からの高さを表示するようにセットし、あるいは、備え付けて用いるものであって、前記水平面に車輪を接地した状態における当該車輪の接地面からの、当該自動車Ｃにおける接地車輪以外の部分における地上高の測定をなすことができる。
【００４１】
なお、ここで、自動車における地上高とは、自動車の接地部以外の部分と地面との間の間隙であって、自動車の安全な運行を確保する目的から、各自動車に対応して、当該各自動車において所定の各部が所定の条件のもとで所定の地上高を備えることを義務づけられており、この所定の各部における地上高が義務づけられている最低地上高の条件を満たしているか否かの検査をなす必要があり、当該発明は、この各自動車において要請されている最低地上高を当該各自動車が備えているか否かを、容易かつ確実に判別し、必要に応じて、当該測定状態を自動車のオーナーにも確認させ、納得させるのに都合のよい測定方法及び測定装置に関するものである。
【００４２】
なお、この発明に係る自動車における最低地上高の測定方法及び自動車における最低地上高の測定装置は、測定対象自動車Ｃにおける法規制されている測定対象部位Ｃａは、もとより、法規制外の部位の地上高の測定にも都合良く用いることができ、また、単独の測定対象部位Ｃａを独自に測定するように用いても、また、複数の測定対象部位Ｃａを個別に、又は、レーザー照射装置１０を旋回させる等によって連続して測定するように用いることもできる。
【００４３】
ここで用いられる受け手段Ｂは、地上高測定装置Ａからのレーザー光ｙを受けて、しかも、測定面Ｄからの高さ表示手段Ｂａ’を備えるものであれば、例えば、測定面Ｄからの高さ目盛Ｂｂの施されている縦向きに配置されるスケール、測定面Ｄから一定の高さ位置を示す水平向きのラインＢｂ’や、測定面Ｄから一定の高さを示す色違い面による仕切りラインＢｂ’等を備える板状材４２、壁や擁壁やブロックや各種仕切り手段等の構築物４３など、いかなる形態からなるものであっても、また、いかなる形態の表示であってもよい。
【００４４】
なお、この図示例に係る地上高測定装置Ａは、レーザー照射装置１０を上下動でき、かつ、旋回し得る態様で、支持する台部２０と柱状部３０とを備えておれば、いかなる素材によって構成してあっても、また、いかなる構造のものであってもよい。
【００４５】
かかる自動車における最低地上高の測定装置は、各種態様において測定対象自動車Ｃの前記地上高を測定することができる。
例えば、同一の水平面に、測定対象自動車Ｃの測定用乗り入れ面Ｄａ、地上高測定装置Ａのセット面、受け手段Ｂのセット面があるように設けると共に、測定対象乗り入れ面Ｄａに乗り入れた測定対象自動車Ｃにおける測定対象部位Ｃａを挟むようにして、各セット面に地上高測定装置Ａと受け手段Ｂとをセットし、この受け手段Ｂに向けて地上高測定装置Ａから可視レーザー光ｙを照射し、当該受け手段Ｂにおける高さ表示手段Ｂａ’を基準として、測定対象部位Ｃａにおける地上高を測定するようにしてあってもよい。
また、かかる測定対象部位Ｃａの測定において前記地上高測定装置Ａにおけるレーザー照射装置１０を前記セット状態において上下方向に移動調整するようにして、当該測定対象部位Ｃａの地上高の測定をするようにしてあってもよい。
また、かかる測定対象部位Ｃａの測定において前記地上高測定装置Ａにおけるレーザー照射装置１０を上下方向に移動させつつ旋回させるようにして、当該測定対象部位Ｃａの測定をなすようにしてあってもよい。
また、かかる測定対象部位Ｃａの測定において前記地上高測定装置Ａにおけるレーザー照射装置１０を前記セット状態において所定の高さ位置に支承し、この所定の高さ位置に支承されたレーザー照射装置１０を旋回させるようにして、当該測定対象部位Ｃａの地上高の測定をするようにしてあってもよい。
【００４６】
また、かかる測定対象部位Ｃａの測定において前記地上高測定装置Ａにおけるレーザー照射装置１０を前記セット状態にする前に、別段に用意される受け手段Ｂを用いて当該地上高測定装置Ａの所定高さ位置に位置決めし、あるいは、当該地上高測定装置Ａの備える位置決め手段によって所定高さ位置に位置決めし、これを測定対象自動車Ｃの測定用乗り入れ面Ｄａと同一の水平面にある面にセットし、測定対象部位Ｃａに可視レーザー光ｙを照射して、当該測定対象自動車Ｃにおける地上高の測定をなすようにしてあってもよい。かかる、測定対象部位Ｃａに対するレーザー光ｙの照射測定にあっては、当該地上高測定装置Ａにおけるレーザー照射装置１０からのレーザーｙを受け手段Ｂによって受けるようにして測定対象部位Ｃａの地上高の測定をなすようにしてあっても、また、受け手段Ｂを用いること無く、可視レーザー光ｙを測定対象部位Ｃａに直接照射するようにして測定するようにしてあってもよい。
【００４７】
また、かかる測定対象部位Ｃａの測定において前記地上高測定装置Ａにおけるレーザー照射装置１０を前記セット状態にする前に、別段に用意される受け手段Ｂを用いて当該地上高測定装置Ａの所定高さ位置に位置決めし、あるいは、当該地上高測定装置Ａの備える位置決め手段によって所定高さ位置に位置決めし、これを測定対象自動車Ｃの測定用乗り入れ面Ｄａと同一の水平面にある面にセットすると共に、この地上高測定装置Ａにおけるレーザー照射装置１０を旋回させるようにして、測定対象部位Ｃａの地上高を測定するようにあってもよい。
【００４８】
また、測定対象自動車のオーナーに対して、地上高測定装置Ａにおけるレーザー照射装置１０の高さ位置のセット状態、前記各測定状態、受け手段Ｂにおけるレーザーポイントの確認等の適宜の態様で、測定対象自動車Ｃにおける測定地上高の確認と、当該測定内容の確認とを、随時、必要に応じて求めることができ、測定対象自動車Ｃが最低地上高を備えているか、否かを認めさせることができる。
【００４９】
まず、図１〜図７に示される典型的な自動車における最低地上高の測定装置について具体的に説明する。
【００５０】
ここで図示されている最低地上高の測定装置は、台部２０と、この台部２０に垂直に立設されている柱状部３０と、この柱状部３０に上下動可能かつ旋回可能に備えられており水平向きに可視レーザー光ｙを照射するレーザー照射装置１０とを備える地上高測定装置Ａと、この当該地上高測定装置Ａからのレーザー光ｙを受け、かつ、測定面Ｄからの具体的な高さを示す表示Ｂａを表示されている高さ表示手段Ｂａ’を備える受け手段Ｂとを備えた構成としてある。
【００５１】
かかる自動車における最低地上高の測定装置を用いる測定方法は、前記地上高測定装置Ａと受け手段Ｂ及び測定対象自動車Ｃの各車輪が、同一の水平面に位置づけられることを前提に各種の方法においてなすことができる。
【００５２】
かかる測定対象自動車Ｃは、例えば、測定用乗り入れ面Ｄａに、当該測定対象自動車Ｃの測定対象部位Ｃａを間に入れるように、測定対象自動車Ｃをセットし、この測定対象自動車Ｃのセットされている測定用乗り入れ面Ｄａ（この図示例にあっては、当該測定用乗り入れ面Ｄａを測定面Ｄとしてある。）に、この測定対象自動車Ｃにおける測定部位Ｃａを挟むように、水平向きに可視レーザー光ｙを照射するレーザー照射装置１０を上下動可能かつ旋回可能に備えている地上高測定０装置Ａと、当該地上高測定装置Ａからのレーザー光ｙを受け、かつ、測定用乗り入れ面Ｄａからの高さ表示手段Ｂａ’を有する受け手段Ｂを備えさせると共に、この受け手段Ｂに対して地上高測定装置Ａから可視レーザー光ｙを照射させて、この照射レーザー光ｙを受け手段Ｂにおいて確認することで、測定対象自動車Ｃにおける測定部位Ｃａの地上高の測定をなすことができる。
【００５３】
この図示例にあっては、前記測定面Ｄにセットされている地上高測定装置Ａの柱状部３０を当該測定面Ｄに垂直になるように当該地上高測定装置Ａをセットすると共に、レーザー照射装置１０を柱状部３０に沿って上下方向に移動して測定対象部位Ｃａの測定をする。また、このレーザー照射装置１０の上下動による位置決めと同時に当該レーザー照射装置１０を旋回して、対象とされる測定部位Ｃａの測定をする。また、かかるレーザー照射装置１０を上下向きと、旋回向きとに同時に操作するようにして測定部位Ｃａの測定をする。
【００５４】
かかる地上高測定装置Ａによる測定対象部位Ｃａの測定は、この地上高測定装置Ａから照射される可視レーザー光ｙを受け手段Ｂによって受けることで、当該測定対象自動車Ｃにおける測定部位Ｃａの地上高を当該受け手段Ｂにおける高さ表示手段Ｂａ’、例えば、目盛Ｂｂ、ラインＢｂ’等の具体的な高さ表示Ｂａによって読み取り、あるいは、判定することができる。
【００５５】
かかる受け手段Ｂに備えられる高さ表示手段Ｂａ’は、測定面Ｄ、この図示例にあっては、測定対象自動車Ｃの測定用乗り入れ面Ｄａから、測定対象とされる自動車Ｃにおける最低地上高を判別し得る高さ表示Ｂａを、少なくとも備えておればよく、測定面Ｄからの高さ数値、高さ数値目盛、高さ位置を示すライン等として備えられている。
【００５６】
また、この図示例にあっては、地上高測定装置Ａに備えられているレーザー照射装置１０を、このレーザー照射装置１０からのレーザー光ｙが、測定しようとする測定対象自動車Ｃにおける最低地上高位置となるように柱状部３０をガイドとして移動し、かつ、当該位置に留まるように保持用意し、この最低地上高位置をレーザー光ｙが照射する地上高測定装置Ａを、測定対象自動車Ｃの測定用乗り入れ面Ｄａにセットし、この地上高測定装置Ａから可視レーザー光ｙを測定部位Ｃａに照射して当該測定対象自動車Ｃにおける地上高を測定する。また、同一の条件でセットした地上高測定装置Ａにおけるレーザー照射装置１０を前記の条件のもとで旋回させて、測定対象自動車Ｃにおける地上高の測定をする。
【００５７】
このように前もって、レーザー照射装置１０を、測定対象自動車Ｃにおける最低地上高の判別可能な高さ位置に特定してある地上高測定装置Ａによって、測定対象自動車Ｃを測定する場合、当該地上高測定装置Ａからの可視レーザー光ｙを受ける受け手段Ｂを前記と同様に用いるようにしてあってもよく、また、かかる受け手段Ｂを用いること無く、当該地上高測定装置Ａから測定対象部位Ｃａに向けて直接、可視レーザー光ｙを照射して、当該測定対象部位Ｃａが最低地上高を備えているか否かを判別するようにもちいてもよい。
【００５８】
かかる地上高測定装置Ａを構成する台部２０は、長方形状をなすベースプレート２１における長手側端部のそれぞれの下面側に座板２２を一体に設けて構成してあり、各座板２２の下面が同一の水平面をなすようにしてあると共に、この一対の矩形をなす座板２２の上面に長方形状のベースプレート２１が設けてあり、このベースプレート２１の上面が水平面を構成するようにしてある。
なお、この各座板２２間のベースプレート２１の下方に空間を構成し、ベースプレート２１が直接、接地しない構成として、当該地上高測定装置Ａを必要最小限の接地面積で測定用乗り入れ面Ｄａに対して安定に水平状態に設置し得るように構成してある。
【００５９】
この図示例にあっては、当該台部２０における長手側における一方側に偏った位置に柱状部３０を垂直に立設し、この柱状部３０にレーザー照射装置１０を組み付けてある。
【００６０】
この図示例に係る柱状部３０は、円柱状部３０ａと、当該円柱状部３０ａを前記ベースプレート２１に安定に立設状態に固着するセットカラー３０ｂとを備えており、水平断面が円形の円柱状部３０ａが垂直をなすようにベースプレート２１に固着してある。
【００６１】
かかる柱状部３０における円柱状部３０ａに上下動可能かつ旋回可能に組み付けられるレーザー照射装置１０は、前記ベースプレート２１上に延びるように細長い直方体状のボックス部１１を備えており、このボックス部１１の長手側の一方側に偏った位置で、前記柱状部３０の円柱状部３０ａに組み付けてある。
【００６２】
このレーザー照射装置１０は、ボックス部１１の上面板部１１ａに円形鍔状の取付板１２を一体に備えており、この取付板１２と上面板部１１ａとに設けた取り付け孔１１ｃに鍔付きブッシュ１３を、当該鍔付きブッシュ１３における鍔１３ａを前記取付板１２に重ね合わせ状態にしてボルト１３ｃ締めして、当該鍔付きブッシュ１３が垂直向きの嵌め合い孔１３ｂを有するように構成してある。
【００６３】
また、この鍔付きブッシュ１３の備えられているボックス部１１の下面板部１１ｂに、前記柱状部３０におけるセットカラー３０ｂを受け入れ得る孔１１ｄが設けてあり、この孔１１ｄ及び前記鍔付きブッシュ１３の孔１３ｂに柱状部３０における円柱状部３０ａを挿通状態にして、レーザー照射装置１０のボックス部１１を、水平を維持した状態で、上下動可能かつ旋回可能に設け得るようにしてある。
【００６４】
この柱状部３０を構成する円柱状部３０ａは、前記鍔付きブッシュ１３に対して、手動で上下動及び旋回をなし得るように比較的密に嵌め入れられる構成としてあり、レーザー照射装置１０が滑らかに当該円柱状部３０ａを摺動し得るように、例えば、前記鍔付きブッシュ１３をスライドブッシュ等で構成してある。
【００６５】
また、当該レーザー照射装置１０を前記台部２０におけるベースプレート２１に密着して使用又は保管し得るように、当該レーザー照射装置１０を構成するボックス部１１の下面板部１１ｂに設けた孔１１ｄから前記セットカラー３０ｂが当該ボックス部１１内に入り込み得る構成としてある。
【００６６】
また、このボックス部１１の背面板部に設けられている雌ねじ部１５にねじ部５０ａを螺進退可能に螺挿するようにストッパー５０が設けてある。このストッパー５０は、前記雌ねじ部１５に螺進退可能にねじ入れられるねじ部５０ａの一端側に操作用摘み部５０ｃが一体に設けてあると共に、他端側に柱状部３０の外周面に密着される当て部５０ｂを備えており、この当て部５０ｂは柱状部３０に対して接触抵抗が高く、かつ、密着され易い、例えば、ゴム状弾性材等によって構成してあり、この図示例にあっては、旋回されるレーザー照射装置１０が、その旋回に際して柱状部３０を巡る向きの円周方向の面に密着される弧状面を先端側に備えており、前記ねじ部５０ａの螺進退操作によって、この弧状面を柱状部３０に押しつけ密着し、又は、離れさせるようにしてある。
【００６７】
かかる当て部５０ｂは、かかるストッパー５０のねじ部５０ｂに連続して備えられている細径の頸部５０ｆを介して頭部５０ｅを備えており、この頸部５０ｆを細径孔で受け入れ、かつ、頭部５０ｅを拡径孔部で受け入れると共に前記ねじ部５０ａと当該頸部５０ｆとの間の段差面で、当該当て部５０ｂの外周面を前記柱状部３０方向に押しつけ得るようにしてあり、前記雌ねじ部１５でねじ部５０ｂを螺進退することで、当該当て部５０ｂを柱状部３０の外周面に押しつけ、又は、引き離し得るように、この頸部５０ｆと頭部５０ｅとを、前記当て部５０ｂに空回り自在に組み付けてある。
【００６８】
かかるボックス部１１における前面側に可視レーザー光ｙを生ずるレーザー発生機１４を、当該レーザー発生機１４から生ずる可視レーザー光ｙが水平向きに照射されるように設けてある。
【００６９】
なお、図中１６は当該レーザー発生機１４の電源バッテリーを、１７は当該レーザー発生機１４におけるレーザー発生回路の開閉スイッチを示している。
【００７０】
このように構成される地上高測定装置Ａにあっては、レーザー照射装置１０に備えられるレーザー発生機１４からの可視レーザー光ｙが水平に照射され得ると共に、当該レーザー照射装置１０を柱状部３０の円柱状部３０ａにおいて手動で都合よく上下方向に移動でき、かつ、旋回させて用いることができる。
【００７１】
かかるレーザー照射装置１０のレーザー発生機１４から生ずる可視レーザー光ｙを受け手段Ｂで確認して、必要位置において、前記ストッパー５０で、当該レーザー照射装置１０を柱状部３０に固定することができる。
なお、かかる手法によらずに、別段に用意される計測手段によって、前記座板２２の下面から当該レーザー発生機１４の可視レーザー光ｙの照射位置間の間隔を測定対象自動車Ｃにおける最低地上高に一致させるようにして、これをストッパー５０で、固定用意した上で、測定対象部位Ｃａに可視レーザー光ｙを照射するようにしてもよい。
【００７２】
かかる地上高測定装置Ａからの可視レーザー光ｙを受ける受け手段Ｂとして、図４及び図６では、高さ表示手段Ｂａ’としての目盛Ｂｂ付きのプレート部４１ａを備える表示具４１が示されている。
【００７３】
この表示具４１は、測定面Ｄにセットして用いられるものであって、座板部４１ｂと当該座板部４１ｂに垂直に立設されているプレート部４１ａとを備えて構成してあり、この図示例では、座板部４１ｂに矩形の補強板部４１ｂ’を一体に設け、この矩形をなす補強板部４１ｂ’における一辺に沿うように座板部４１ｂのやや側方に偏った位置にプレート部４１ａを起立するように設けてある。
【００７４】
かかる座板部４１ｂの側方に偏って備えられているプレート部４１ａにおける補強板部４１ｂ’側、すなわち、円板状をなす座板部４１ｂの中央側に面しているプレート部４１ａに、当該座板部４１ｂの下面からの高さを示す表示Ｂａを備える高さ表示手段Ｂａ’としての目盛Ｂｂが設けてあり、この目盛Ｂｂの付されている側のプレート部４１ａ面に可視レーザー光ｙを当てるように前記レーザー照射装置１０を上下動することで、対象測定面Ｄにセットされている測定対象自動車Ｃの測定対象部位Ｃａの地上高の測定をなし得るようにしてある。
【００７５】
図５及び図６では、高さ表示手段Ｂａ’としての目盛Ｂｂを備える受け手段Ｂを前記地上高測定装置Ａと共に用いた一適用例を示しており、例えば、図５に示すように、目盛Ｂｂ付き表示プレート４１を地上高測定装置Ａの直前の同一測定面Ｄにセットし、当該地上高測定装置Ａにおけるレーザー照射装置１０を上下方向に移動させて、測定対象自動車Ｃに求められている最低地上高の高さにレーザー照射装置１０を位置づけ、これをストッパー５０で柱状部３０に固定する。
【００７６】
このように、最低地上高にセットされたレーザー照射装置１０を備える地上高測定装置Ａを、測定用乗り入れ面Ｄａに案内されている測定対象自動車Ｃにおける測定対象部位Ｃａの側方の測定面Ｄに設置し、この測定対象部位Ｃａに向けて可視レーザー光ｙを照射し、この照射レーザー光ｙが当該自動車Ｃの他方の側において確認される場合には当該測定対象自動車Ｃが最低地上高を備える自動車として判定され、当該側において確認されない場合、すなわち、当該測定対象自動車Ｃに可視レーザー光ｙが遮られる場合、当該測定対象自動車Ｃは最低地上高を備えていない自動車として判定される。なお、測定対象部位Ｃａを挟むように、測定用乗り入れ面Ｄａにセットされている当該地上高測定装置Ａにおける当該セット側と反対の側の測定用乗り入れ面Ｄａに適宜受け手段Ｂを備えた状態にして、この測定対象自動車Ｃにおける測定対象部位Ｃａの地上高の測定をなすようにしてもよく、測定対象自動車Ｃにおける地上高を、より確実に測定することができる。
【００７７】
このように、測定対象自動車Ｃに求められる最低地上高の高さ位置に可視レーザー光ｙを照射し得るようにレーザー照射装置１０をセットした地上高測定装置Ａを測定対象自動車Ｃのオーナーに確認させ、かつ、当該地上高測定装置Ａを測定対象自動車Ｃの測定用乗り入れ面Ｄａにセットして、測定対象自動車Ｃの測定部位Ｃａを直接照射し、当該地上高測定装置Ａからの可視レーザー光ｙが、測定対象部位Ｃａの他方の側で、受け手段Ｂ等の適宜の手段を介し、または、これらの受け手段Ｂを介すること無く、確認し得るか否かを、当該測定対象自動車Ｃのオーナーに確認させることができる。
また、測定用乗り入れ面Ｄａに乗り込ませた測定対象自動車Ｃの測定対象部位Ｃａに測定面Ｄにセットした地上高測定装置Ａから、レーザー照射装置１０を操作しながら可視レーザー光ｙを照射し、当該測定対象部位Ｃａの反対側の測定面Ｄに備えられている受け手段Ｂにおける高さ表示手段Ｂａ’に照射される可視レーザー光ｙを測定対象自動車Ｃのオーナーに確認させ、あるいは、前記で照射された可視レーザー光ｙが当該受け手段Ｂに届いていない状態を、測定対象自動車Ｃのオーナーに直接確認させることができる。
【００７８】
また、かかる最低地上高の測定において、地上高測定装置Ａに向き合って備えられる受け手段Ｂに可視レーザー光ｙが届かない場合にあって、当該地上高測定装置Ａにおけるレーザー照射装置１０を旋回しつつ下方に向けて漸次移動させ、可視レーザー光ｙが当該自動車Ｃの他方側で視認された位置に、このレーザー照射装置１０を柱状部３０に固定し、このレーザー照射装置１０の固定された地上高測定装置Ａを表示具４１に向き合わせ、当該自動車における地上高を確認でき、同時に、自動車Ｃのオーナーにも視認させることができる。
【００７９】
また、前記の測定方法において、測定対象部位Ｃａを挟んで当該設置地上高測定装置Ａに向き合うように受け手段Ｂとして表示具４１をセットしておくことによって、前記の地上高測定装置Ａにおけるレーザー照射装置１０の旋回と押し下げ操作に際して、当該測定対象自動車Ｃの地上高を目盛Ｂｂによって、即座に測定、確認することができる。
【００８０】
ついで、図７に示される最低地上高の測定方法について説明する。
【００８１】
この図示例にあっては、前記表示具４１に代わって、各高さ表示Ｂａの表示手段Ｂａ’を備える板状材４２と、壁などの構築物４３を用いた測定方法の適用例を示すものであって、その、典型例として、当該板状材４２、構築物４３の対応面に、測定面Ｄをなす測定用乗れ入れ面Ｄａから、測定対象自動車Ｃにおける最低地上高に相当する高さ位置を示すラインＢｂ’からなる表示手段Ｂａ’を設けてある。
【００８２】
かかる板状材４２，構築物４３に施されるライン状の表示手段Ｂａ’は、いわゆる線として表示されていても、また、色違い面の境界線として表示してあってもよい。
【００８３】
さらに、かかるラインＢｂ’からなる表示手段Ｂａ’に、当該ラインＢｂ’の測定面Ｄからの高さを示す数値を表示するようにしてあってもよい。
【００８４】
例えば、測定対象自動車Ｃの測定面Ｄの側方に前記地上高測定装置Ａをセットすると共に、当該測定対象自動車Ｃにおいて測定対象部位Ｃａを挟むように、当該測定対象部位Ｃａの他方側の測定面Ｄに前記板状材４２を垂直状態に立設し、この板状材４２に向けて地上高測定装置Ａにおけるレーザー照射装置１０を旋回しつつ、上下方向に移動し、当該レーザー照射装置１０からの可視レーザー光ｙの遮断される位置が前記板状材４２におけるラインＢｂ’よりも上にあれば最低地上高を備える自動車Ｃとして判別され、このラインＢｂ’よりも下方で当該照射レーザー光ｙが遮断されるようであれば、最低地上高を備えていない自動車Ｃとして判別され、当該状況を測定対象自動車Ｃのオーナーに直接、目視させることができる。
【００８５】
また、測定予定の自動車Ｃを誘導する測定用乗り入れ面Ｄａを構築物４３における壁の側方に設けておき、この測定用乗り入れ面Ｄａに測定対象自動車Ｃを誘導すると共に、誘導した測定対象自動車Ｃの測定部位Ｃａを前記構築物４３の壁と挟むように測定面Ｄにセットした地上高測定装置Ａから、当該測定対象自動車Ｃの測定対象部位Ｃａに向けて可視レーザー光ｙを照射し、この照射可視レーザー光ｙを前記壁を受け手段Ｂとして、当該受け手段Ｂに設けたラインＢｂ’からなる表示手段Ｂａ’で判別するようにしたものであって、測定対象部位Ｃａに向けて照射された可視レーザー光ｙが、当該構築物４３に備えられているラインＢｂ’よりも上方で遮られるようであれば当該自動車Ｃは最低地上高を備えるものであり、また、このラインＢｂ’よりも下方で遮られるようであれば当該自動車Ｃは最低地上高を備えていないものと判断され、かかる、状況を自動車Ｃのオーナーに直接視認させることができる。
【００８６】
ついで、図８及び図９に示される典型的な自動車における最低地上高の測定装置について具体的に説明する。
【００８７】
ここで図示されている最低地上高の測定装置は、台部２０と、この台部２０に垂直に立設されている柱状部３０と、この柱状部３０に上下方向に移動支承し、かつ当該支承状態で旋回可能に備えられて水平向きに可視レーザー光ｙを照射するレーザー照射装置１０とを備える地上高測定装置Ａと、この地上高測定装置Ａにおけるレーザー照射装置１０を前記柱状部３０の所定高さに位置決めする位置決め手段６０とを備えた構成としてある。
【００８８】
かかる地上高測定装置Ａを構成する台部２０は、長方形状をなすベースプレート２１における長手側端部のそれぞれの下面側に座板２２を一体に設けて構成してあり、各座板２２の下面が同一の水平面をなすようにしてあると共に、この一対の矩形をなす座板２２の上面に長方形状のベースプレート２１が設けてあり、このベースプレート２１の上面が水平面を構成するようにしてある。
なお、この各座板２２間のベースプレート２１の下方に空間を構成し、ベースプレート２１が直接、接地しない構成として、当該地上高測定装置Ａを必要最小限の接地面積で測定用乗り入れ面Ｄａに対して安定に水平状態に設置し得るように構成してある。
【００８９】
この図示例にあっては、当該台部２０における長手側における一方側に偏った位置に補強板２３をビス２４で当該ベースプレート２１に一体に設けてあり、このベースプレート２１上に一体に設けられている補強板２３の水平な上面部に、垂直に起立させた柱状部３０を、ベースプレート２１の下方から当該柱状部３０の下部に設けられている雌ねじ孔部３０ｃにボルト３１をねじ入れることで垂直に立設してある。
【００９０】
このように台部２０に垂直に立設されている水平断面が円形の柱状部３０に対して嵌め合わせられる環状をなすセットカラー３２で、このセットカラー３２上に前記柱状部３０に対して被嵌状態に組み付けられるレーザー照射装置１０を回転自在に支承するようにしてある。
【００９１】
この柱状部３０の円柱状部３０ａの嵌め入れられるセットカラー３２は、当該円柱状部３０ａに、ほぼ密に嵌め合わされる円環形状に構成してあり、円柱状部３０ａを水平を維持した状態で上下方向に移動可能に組み付けてある。
【００９２】
また、このセットカラー３２は、その周側面から柱状部３０の嵌め合い穴側に貫通する複数個の雌ねじ孔３２ａを備えており、当該セットカラー３２を柱状部３０の所定高さ位置に移動させた後、この雌ねじ孔３２ａから、それぞれ止めねじ３３をねじ入れて、その先端を前記円柱状部３０ａに押しつけるようにして、当該セットカラー３２を柱状部３０に固定し、かつ、必要に応じて、当該押しつけを解放することで、柱状部３０に沿った上下方向に移動させ得るようにしてある。
【００９３】
かかる柱状部３０における円柱状部３０ａに上下動可能かつ旋回可能に組み付けられるレーザー照射装置１０は、前記ベースプレート２１上に延びるように細長い直方体状のボックス部１１を備えており、このボックス部１１の長手側の一方側に偏った位置で、前記セットカラー３２上に回転可能に支承されるように前記柱状部３０の円柱状部３０ａに組み付けてある。
【００９４】
このレーザー照射装置１０は、ボックス部１１の上面板部１１ａに円形鍔状の取付板１２を一体に備えており、この取付板１２と上面板部１１ａとに設けた取り付け孔１１ｃに鍔付きブッシュ１３を、当該鍔付きブッシュ１３における鍔１３ａを前記取付板１２に重ね合わせ状態にしてボルト１３ｃ締めして、当該鍔付きブッシュ１３が垂直向きの嵌め合い孔１３ｂを有するように構成してある。
【００９５】
また、この鍔付きブッシュ１３の備えられているボックス部１１の下面板部１１ｂに、前記柱状部３０の下部側を受け入れ得る孔１１ｄが設けてあり、この孔１１ｄ及び前記鍔付きブッシュ１３の孔１３ｂに柱状部３０における円柱状部３０ａを挿通状態にして、レーザー照射装置１０のボックス部１１を、前記セットカラー３２上に水平を維持した状態で、支承するように組み付ける。
【００９６】
この柱状部３０を構成する円柱状部３０ａは、前記鍔付きブッシュ１３に対して、手動で上下動及び旋回をなし得るように比較的密に嵌め入れられる構成としてあり、レーザー照射装置１０が滑らかに当該円柱状部３０ａを摺動し得るように、例えば、前記鍔付きブッシュ１３をスライドブッシュ等で構成してある。
【００９７】
また、前記柱状部３０に組み付けられるレーザー照射装置１０は、当該柱状部３０における所定高さ位置に、前記セットカラー３２で、旋回可能に支承されており、同一の水平線上に可視レーザー光ｙを連続して案内し得るようにしてある。
【００９８】
また、このボックス部１１の背面板部に設けられている雌ねじ部１５にねじ部５０ａを螺進退可能に螺挿するようにストッパー５０が設けてある。このストッパー５０は、前記雌ねじ部１５に螺進退可能にねじ入れられるねじ部５０ａの一端側に操作用摘み部５０ｃが一体に設けてあると共に、他端側に柱状部３０の外周面に密着される当て部５０ｂを備えており、この当て部５０ｂは柱状部３０に対して接触抵抗が高く、かつ、密着され易い、例えば、ゴム状弾性材等によって構成してあり、この図示例にあっては、旋回されるレーザー照射装置１０が、その旋回に際して柱状部３０を巡る向きの円周方向の面に密着される弧状面を先端側に備えており、前記ねじ部５０ａの螺進退操作によって、この弧状面を柱状部３０に押しつけ密着し、又は、離れさせるようにしてある。
【００９９】
かかる当て部５０ｂは、かかるストッパー５０のねじ部５０ｂに連続して備えられている細径の頸部５０ｆを介して頭部５０ｅを備えており、この頸部５０ｆを細径孔で受け入れ、かつ、頭部５０ｅを拡径孔部で受け入れると共に前記ねじ部５０ａと当該頸部５０ｆとの間の段差面で、当該当て部５０ｂの外周面を前記柱状部３０方向に押しつけ得るようにしてあり、前記雌ねじ部１５でねじ部５０ｂを螺進退することで、当該当て部５０ｂを柱状部３０の外周面に押しつけ、又は、引き離し得るように、この頸部５０ｆと頭部５０ｅとを、前記当て部５０ｂに空回り自在に組み付けてある。
【０１００】
かかるボックス部１１における前面側に可視レーザー光ｙを生ずるレーザー発生機１４を、当該レーザー発生機１４から生ずる可視レーザー光ｙが水平向きに照射されるように設けてある。
【０１０１】
かかる構成からなる地上高測定装置Ａは、当該地上高測定装置Ａにおけるレーザー照射装置１０の可視レーザー光ｙの照射高さの位置決めをする位置決め手段６０を備えており、この位置決め手段６０によって、当該レーザー照射装置１０を、前もって、柱状部３０における所定高さ位置に前記止めねじ３３でセットカラー３２を固定して用いるようにしてある。
【０１０２】
すなわち、測定対象自動車Ｃの測定対象部位Ｃａに求められている最低地上高位置に、当該地上高測定装置Ａのレーザー照射装置１０における可視レーザー光ｙの照射高さを位置づけ得るように前記セットカラー３２を位置づけ、これを、止めねじ３３で柱状部３０に固定する。この結果、セットカラー３２に支承されているレーザー照射装置１０は、これを測定面Ｄにセットした際に、可視レーザー光ｙを、前記で位置決めされた高さで、旋回可能に照射することができ、測定対象自動車Ｃにおける測定部位Ｃａを容易かつ確実に測定することができる。
【０１０３】
なお、この地上高測定装置Ａに備えられる位置決め手段６０は、当該地上高測定装置Ａにおける可視レーザー光ｙの照射高さを、例えば、測定対象自動車Ｃにおける測定部位Ｃａの最低地上高となるようにレーザー照射装置１０の移動位置を示し得るものであれば、いかなる手段であってもよく、例えば、円柱状部３０ａの外周面の高さ方向に、当該地上高測定装置Ａを測定面Ｄにセットした際における当該測定面Ｄからの地上高を表示する表示目盛、表示ライン、表示印等を位置決め手段６０として設け、この位置決め手段６０における表示目盛、表示ライン、表示印等に、例えば、セットカラー３２の上端面を合わせるように当該セットカラー３２を移動調整しつつ、柱状部３０に当該セットカラー３２を固定し、このように柱状部３０に旋回可能に支承されているレーザー照射装置１０によって、測定対象自動車Ｃにおける測定部位Ｃａを容易、かつ、確実に測定することができる。かかる位置決め手段６０は、当該地上高測定装置Ａにおける可視レーザー光ｙを測定対象自動車Ｃにおける最低地上高位置に位置決めし得るものであれば、いかなるものであってもよく、例えば、当該地上高測定装置Ａ以外の機材によって構成するようにしてあってもよい。
【０１０４】
なお、図中１６は当該レーザー発生機１４の電源バッテリーを、１７は当該レーザー発生機１４におけるレーザー発生回路の開閉スイッチを示している。
【０１０５】
このように構成される地上高測定装置Ａは、これを測定対象自動車Ｃの測定用乗り入れ面Ｄａに設置して、この地上高測定装置Ａから測定対象部位Ｃａに向けて可視レーザー光ｙを照射し、この測定対象部位Ｃａに照射された可視レーザー光ｙが当該測定対象自動車Ｃにおける他方側で確認し得るか否かによって、測定対象自動車Ｃの測定部位Ｃａが所定の最低地上高を備えているか否かの判別をなすことができる。
【０１０６】
かかる地上高測定装置Ａによる測定対象自動車Ｃの最低地上高の測定に際して、当該測定対象自動車Ｃにおける測定部位Ｃａを挟んだ他方側に、適宜の受け手段Ｂを設けておくことによって、かかる地上高測定装置Ａによる測定部位Ｃａの測定が、より、正確、かつ、容易になすことができる。
【０１０７】
かかる受け手段Ｂは、前記表示具４１、板状材４２，構築物４３等、いかなる形態からなるものであってもよく、当該表示具４１，板状材４２、構築物４３等の受け手段Ｂの面に施されている高さ目盛Ｂｂ、ラインＢｂ’等の表示手段Ｂａ’を判別の基準として用いたり、さらに、当該受け手段Ｂを測定対象部位Ｃａからの漏れだす可視レーザー光ｙを補足する手段として用いるようにしてもよく、この場合にあっては、当該受け手段Ｂは無地の表示具、板状材、構築物等であってもよい。
【図面の簡単な説明】
【０１０８】
【図１】典型的な地上高測定装置を示す斜視図
【図２】同要部破断側面図
【図３】同平面図
【図４】同受け手段の一例を示す斜視図
【図５】同典型的な測定方法における測定の一過程を示す側面図
【図６】同典型的な測定方法における測定の他の一過程を示す側面図
【図７】同典型的な他の測定方法における測定の一過程を示す斜視図
【図８】他の典型的な地上高測定装置の要部破断側面図
【図９】同要部拡大断面図
【図１０】従来の測定具を示す斜視図
【符号の説明】
【０１０９】
Ａ  地上高測定装置
Ｂ  受け手段
Ｂａ  高さ表示
Ｂａ’  高さ表示手段
Ｂｂ  目盛
Ｂｂ’ライン
Ｃ  測定対象自動車
Ｃａ  測定対象部位
Ｄ  測定面
Ｄａ  測定用乗り入れ面
１０  レーザー照射装置
２０  台部
３０  柱状部
６０  位置決め手段
【図１】
2009014662.tif 000003
【図２】
2009014662.tif 000004
【図３】
2009014662.tif 000005
【図４】
2009014662.tif 000006
【図５】
2009014662.tif 000007
【図６】
2009014662.tif 000008
【図７】
2009014662.tif 000009
【図８】
2009014662.tif 000010
【図９】
2009014662.tif 000011
【図１０】
2009014662.tif 000012